(57)【要約】【課題】保護部材取付部を拡大し、保護部材取付部に保護部材を容易に取り付ける。【解決手段】ハンドルベース１又はハンドルレバー２の基端側で相互に対向する部位に保護部材取付部４が設けられて保護部材５が取り付けられる。保護部材５は裏面に先端を相互に反対方向に向けられて全体として断面略Ｌ字形に突出される一対の係止爪を有し、保護部材取付部４は保護部材５が嵌合可能に取付凹部を形成されるとともにこの取付凹部に保護部材５の各係止爪が係合可能に一対の係合孔が形成されて、保護部材５は保護部材取付部４に各係止爪と各係合孔との弾性係合により取り付けられる。【選択図】図５
2020090774.tif 000002
【特許請求の範囲】
【請求項１】
扉パネルに固着されるハンドルベースと、前記ハンドルベースの基端側に回転可能に挿通されるハンドル軸に回動軸を介して前記ハンドルベースに対して起伏回動可能に装着されるハンドルレバーと、前記ハンドルベースの背面側に前記ハンドル軸を介して回転可能に取り付けられ、前記ハンドルレバーの回転操作によりボックス本体などの固定枠体側の受け部に対して係脱可能な止め金とを備え、扉パネルの開閉時に前記ハンドルレバーを前記ハンドルベースから引き起こして回転操作することにより前記止め金を前記受け部に対して係脱し、扉パネルを閉めた後は前記ハンドルレバーを前記ハンドルベース上に倒伏して収納する形式の平面ハンドルにおいて、
前記ハンドルベース及び前記ハンドルレバーの基端側で相互に対向する部位のいずれか一方に保護部材取付部が設けられて当該保護部材取付部に弾性合成樹脂製の保護部材が取り付けられ、
前記保護部材は、表面に前記保護部材取付部の周囲と一体的な外形を有し、裏面に先端を相互に反対方向に向けられて全体として断面略Ｌ字形に突出される一対の係止爪を有し、
前記保護部材取付部は、前記保護部材が嵌合可能に取付凹部を形成されるとともに前記取付凹部の底部に前記保護部材の前記各係止爪が弾性係合可能に断面略Ｌ字形に延びる一対の係合孔が形成されて、
前記保護部材は前記保護部材取付部に前記一対の係止爪と前記一対の係合孔との弾性係合により取り付けられる、
ことを特徴とする平面ハンドル。
【請求項２】
一対の係止爪はそれぞれ先端が保護部材の裏面において前記保護部材の外周方向に向けて形成され、前記保護部材の裏面で前記各係止爪の間に直線状に溝を形成されて前記保護部材が前記溝の位置で略くの字形に折り曲げ変形可能に形成される請求項１に記載の平面ハンドル。
【請求項３】
保護部材取付部の取付凹部の底部に保護部材裏面の溝に嵌合可能に直線状の凸状部が設けられる請求項２に記載の平面ハンドル。
【発明の詳細な説明】
【技術分野】
【０００１】
本発明は、配電盤、分電盤、通信機器、サーバなどの機器格納用のラック又はキャビネットなどに用いられる平面ハンドルに関し、特に、扉に固定されたハンドルベースに対してハンドルレバーが起伏回転可能な平面ハンドルに関する。
【背景技術】
【０００２】
この種の平面ハンドルは、例えば特許文献１などにより開示されているように、扉パネルに固着されるハンドルベースと、ハンドルベースに回転可能に挿通されるハンドル軸に回動軸を介してハンドルベースに対して起伏回動可能に装着されるハンドルレバーと、ハンドルベースの背面側にハンドル軸を介して回転可能に取り付けられ、ハンドルレバーの回転操作によりボックス本体などの固定枠体側の受け金に対して係脱可能な止め金とを備え、扉パネルの開閉時にハンドルレバーをハンドルベースから引き起こして回転操作することにより止め金を受け金に対して係脱し、扉パネルを閉めた後はハンドルレバーをハンドルベース上に倒伏して収納する形式になっている。
【０００３】
ところで、この種の平面ハンドルは、ハンドルベースに対して起立したハンドルレバーをハンドル軸を中心に回転操作するときに、ハンドルレバーをハンドルベース側に押し倒す方向に力をかけやすく、この状態でハンドルレバーを回転させると、ハンドルレバーの基端側でハンドルベースに対向する部位が、ハンドルベースと噛み合い、金属同士の強い接触により両者が損傷することがある。
【０００４】
そこで、本願出願人は、従前、特許文献２により、ハンドルレバーを回転操作するときに、ハンドルレバーとハンドルベースが噛み合って損傷することのないようにした平面ハンドルを提案した。
この文献２の平面ハンドルは、ハンドルレバーの基端側のハンドルベースに対向する部位に、ハンドルレバーの回転操作時にハンドルベースとの間に介在するように弾性合成樹脂製の保護部材が固着されたもので、この保護部材によりハンドルレバーの回転操作時にハンドルレバーとハンドルベースの金属同士の噛み合いを阻止するようにしてある。
この場合、ハンドルレバーの背面の基端側に保護部材を受け入れる嵌合凹部と保護部材をカシメ止めするための係合突起が設けられ、保護部材は、嵌合凹部に嵌合する凸部と、係合突起を圧入してカシメ止めするための段付き係合孔とを有し、保護部材の表面がハンドルレバーの背面の基端側の外面を形成するようにしてハンドルレバーの背面の基端側に装着される。
このようにすることで、ハンドルレバーを握って回転操作するときに、ハンドルレバーをハンドルベース側（倒伏方向）へ押したまま回転させても、弾性合成樹脂製の保護部材の表面が金属製のハンドルベースの表面に押し当てられた状態で摺動するため、摩擦抵抗が小さく、操作は円滑に行われ、また相互に噛み合って損傷することもない。
【先行技術文献】
【特許文献】
【０００５】
【特許文献１】特開２０１０−１４４４６４号公報
【特許文献２】特開２０１０−１７４４６２号公報
【発明の概要】
【発明が解決しようとする課題】
【０００６】
しかしながら、上記従来の平面ハンドルでは、保護部材がハンドルレバーの背面の基端側の嵌合凹部に嵌め込まれ、保護部材の係合孔に圧入された係合突起をカシメて固定するため、保護部材の取り付けに多くの手間が掛かり、コストも増大する、という問題がある。
【０００７】
本発明は、このような従来の問題を解決するもので、この種の平面ハンドルにおいて、弾性合成樹脂製の保護部材の取付位置を拡大して、この保護部材の取付位置に保護部材を容易にしかも低コストに取り付けできるようにすること、を目的とする。
【課題を解決するための手段】
【０００８】
上記目的を達成するために、本発明は、
扉パネルに固着されるハンドルベースと、前記ハンドルベースの基端側に回転可能に挿通されるハンドル軸に回動軸を介して前記ハンドルベースに対して起伏回動可能に装着されるハンドルレバーと、前記ハンドルベースの背面側に前記ハンドル軸を介して回転可能に取り付けられ、前記ハンドルレバーの回転操作によりボックス本体などの固定枠体側の受け部に対して係脱可能な止め金とを備え、扉パネルの開閉時に前記ハンドルレバーを前記ハンドルベースから引き起こして回転操作することにより前記止め金を前記受け部に対して係脱し、扉パネルを閉めた後は前記ハンドルレバーを前記ハンドルベース上に倒伏して収納する形式の平面ハンドルにおいて、
前記ハンドルベース及び前記ハンドルレバーの基端側で相互に対向する部位のいずれか一方に保護部材取付部が設けられて当該保護部材取付部に弾性合成樹脂製の保護部材が取り付けられ、
前記保護部材は、表面に前記保護部材取付部の周囲と一体的な外形を有し、裏面に先端を相互に反対方向に向けられて全体として断面略Ｌ字形に突出される一対の係止爪を有し、
前記保護部材取付部は、前記保護部材が嵌合可能に取付凹部を形成されるとともに前記取付凹部の底部に前記保護部材の前記各係止爪が弾性係合可能に断面略Ｌ字形に延びる一対の係合孔が形成されて、
前記保護部材は前記保護部材取付部に前記一対の係止爪と前記一対の係合孔との弾性係合により取り付けられる、
ことを要旨とする。
この場合、一対の係止爪はそれぞれ先端が保護部材の裏面において前記保護部材の外周方向に向けて形成され、前記保護部材の裏面で前記各係止爪の間に直線状に溝を形成されて前記保護部材が前記溝の位置で略くの字形に折り曲げ変形可能に形成されることが好ましい。
また、この場合、保護部材取付部の取付凹部の底部に保護部材裏面の溝に嵌合可能に直線状の凸状部が設けられることが望ましい。
【発明の効果】
【０００９】
本発明の平面ハンドルでは、ハンドルベース及びハンドルレバーの基端側で相互に対向する部位のいずれか一方に保護部材取付部を設けてこの保護部材取付部に弾性合成樹脂製の保護部材を取り付けるものとし、保護部材の表面を保護部材取付部の周囲と一体的な外形とし、裏面に先端を相互に反対方向に向けて全体として断面略Ｌ字形に突出する一対の係止爪を設け、保護部材取付部は、保護部材が嵌合可能に取付凹部を形成するとともにこの取付凹部の底部に保護部材の各係止爪が弾性係合可能に断面略Ｌ字形に延びる一対の係合孔を形成して、保護部材を保護部材取付部に一対の係止爪と一対の係合孔との弾性係合により取り付けるようにしたので、弾性合成樹脂製の保護部材の取付位置を拡大して、保護部材の取付位置に保護部材を容易にしかも低コストに取り付けることができる、という本発明独自の格別な効果を奏する。
また、この平面ハンドルでは、一対の係止爪をそれぞれ先端を保護部材の裏面において保護部材の外周方向に向けて形成し、保護部材の裏面で各係止爪の間に直線状に溝を形成して保護部材を溝の位置で略くの字形に折り曲げ変形可能に形成することで、保護部材の取り付けに当たり、保護部材を溝の位置で略くの字形に折り曲げ変形することにより、各係止突起を各係合孔に挿入しやすくすることができ、保護部材を保護部材取付部により簡易に取り付けることができる、という利点を有する。またさらに、この保護部材取付部の取付凹部の底部に保護部材裏面の溝に嵌合可能に直線状の凸状部を設けることで、保護部材が保護部材取付部に取り付けられると、保護部材の溝と保護部材取付部の凸状部との係合により、保護部材が保護部材取付部上でこれら凸状部及び溝に対して直交する方向の外力に抗し、一対の係止爪とともに、保護部材を保護部材取付部により確実に固定することができる、という利点を有する。
【図面の簡単な説明】
【００１０】
【図１】本発明の一実施の形態における平面ハンドルの全体構成を示す図（（ａ）はハンドルレバーがハンドルベース上に収納された状態を示す斜視図（ｂ）はハンドルレバーがハンドルベースから引き起こされて回動された状態を示す斜視図）
【図２】同平面ハンドルの特に保護部材の構成を示す図（斜視図）
【図３】同平面ハンドルのハンドルレバー及び保護部材取付部の構成を示す図（斜視図）
【図４】同平面ハンドルの保護部材の保護部材取付部への取り付け方を示す図
【図５】同平面ハンドルの使用時の保護部材による作用効果を示す図（（１）はハンドルレバーがハンドルベース上に収納された状態を示す斜視図（２）はハンドルレバーがハンドルベースから引き起こされて回動され、ハンドルレバーに設けられた保護部材がハンドルベースに接触する状態を示す斜視図）
【発明を実施するための形態】
【００１１】
次に、この発明を実施するための形態について図を用いて説明する。
図１に平面ハンドルの全体構成を示し、図２、図３にこの平面ハンドル各部の構成を示している。
【００１２】
図１に示すように、平面ハンドルＨは、扉パネルに固着されるハンドルベース１と、ハンドルベース１の基端側に回転可能に挿通されるハンドル軸（図示省略）に回動軸（図示省略）を介してハンドルベース１に対して起伏回動可能に装着されるハンドルレバー２と、ハンドルベース１の背面側にハンドル軸を介して回転可能に取り付けられ、ハンドルレバー２の回転操作によりボックス本体などの固定枠体側の受け部（図示省略）に対して係脱可能な止め金（図示省略）とを備え、扉パネルの開閉時にハンドルレバー２をハンドルベース１から引き起こして回転操作することにより止め金を受け部に対して係脱し、扉パネルを閉めた後はハンドルレバー２をハンドルベース１上に倒伏して収納する形式になっている。
また、この平面ハンドルＨでは、ハンドルベース１にハンドルレバー２の受け部（図示省略）に係脱可能な錠止部材（図示省略）を有する錠前ユニット３が組み込まれて、錠前ユニット３のキー穴３０がハンドルレバー２に形成された開口２０から臨むようになっており、ハンドルベース１上にハンドルレバー２が収納された状態で、キー（図示省略）をキー穴３０に挿入し所定の施錠方向に回転操作することにより、ハンドルベース１側の錠前ユニット３の錠止部材とハンドルレバー２側の受け部が係合してハンドルレバー２が施錠され、キーを所定の解錠方向に回転操作することにより、錠前ユニット３の錠止部材と受け部との係合が解除されてハンドルレバー２が解錠されるようになっている。
【００１３】
そして、この平面ハンドルＨにおいては、ハンドルベース１及びハンドルレバー２の基端側で相互に対向する部位のいずれか一方に保護部材取付部４が設けられて、この保護部材取付部４に弾性合成樹脂製の保護部材５が取り付けられる。
保護部材５は、図２に示すように、表面に保護部材取付部４の周囲と一体的な外形を有し、裏面に裏面の中心を対称中心として対称的に形成され、先端を相互に反対方向に向けられて全体として断面略Ｌ字形に突出される一対の係止爪５１を有する。保護部材取付部４は、図３に示すように、保護部材５が嵌合可能に取付凹部４０を形成されるとともにこの取付凹部４０の底部４０１に保護部材５の各係止爪５１が弾性係合可能に断面略Ｌ字形に延びる一対の係合孔４１が形成されて、保護部材５は保護部材取付部４に一対の係止爪５１と一対の係合孔４１との弾性係合により取り付けられる。
【００１４】
この平面ハンドルＨの場合、ハンドルベース１は、図１に示すように、亜鉛ダイカストやアルミニウムなどにより、ベース本体１１が薄形で縦に長い略長方形状（但し、上部基端縁部１１１及び下部先端縁部１１２は略円弧状をなす。）に形成され、ベース本体１１の上部基端側にハンドル取付部１２、ベース本体１１の正面にハンドル収納部１３、ハンドル収納部１３の下部に錠前ユニット収納部１４を備えて構成される。
この場合、ハンドル取付部１２は、ベース本体１１の上部基端側、この場合、正面の上部基端側中央と背面の上部基端側中央との間を貫通して形成される円形の穴１２０と、この穴１２０に連通してベース本体１１の背面から突出形成される軸筒部１２１とからなり、軸筒部１２１にステンレスバネ鋼からなる曲面板（図示省略）を介してハンドル軸が回転可能に挿着される。ハンドル収納部１３は、ベース本体１１の正面の上部基端側に円形の穴１２０の周囲に沿って略逆Ｕ字形に凸状部１３１を形成されるとともにこの略逆Ｕ字形の凸状部１３１で囲まれた穴１２０の下部面をフラットに形成されて、ベース本体１１の上部基端側の略逆Ｕ字形の凸状部１３１の内側にハンドルレバー２の上部基端側を嵌合可能に形成されるハンドル嵌合収納部１３Ａと、このハンドル嵌合収納部１３Ａの下方、つまり、ベース本体１１の正面の上下方向中間部から下部先端側に上部基端側の円形の穴１２０の下部から下方に向けて錠前ユニット３の組み込み位置の近傍まで直線形に凸状部１３２を形成されるとともにこの直線形の凸状部１３２の周囲の面全体を上部基端側の略Ｕ字形の凸状部１３１で囲まれた面に連続してフラットに形成されて、ベース本体１１の正面の上下方向中間部から下部先端側にかけてハンドルレバー２の上下方向中間部から下部先端側までを載置可能に形成されるハンドル載置収納部１３Ｂとからなる。錠前ユニット収納部１４はハンドル収納部１３のハンドル載置収納部１３Ｂの下部側に筒状に形成され、この錠前ユニット収納部１４に、錠前ユニット３としてロック・ロック解除を表示するインジケータｉ付きのシリンダー錠Ｓが挿着固定される。
一方、ハンドルレバー２は、図３に示すように、亜鉛ダイカストやアルミニウムなどにより、レバー本体２１が薄形で縦に長い略長方形状（但し、上部基端縁部２１１は略半円形、下部先端縁部２１２は略円弧状をなす。）に形成され、レバー本体２１の上部基端側に軸挿通部２２、レバー本体２１の上下方向中間部から下部先端側にかけてグリップ部２３、レバー本体２１の下部先端側に開口２０を備えて構成される。
この場合、レバー本体２１の上部基端側はハンドルベース１のハンドル嵌合収納部１３Ａに嵌合可能に幅狭に形成され、その上端に回動軸を（ハンドルレバー２の）幅方向に向けて挿通するための軸挿通部２２が形成され、その下端にハンドルレバー２の直線形の凸状部１３２の上端部が嵌合可能に凹部２２１が形成される。グリップ部２３はハンドルベース１のハンドル載置収納部１３Ｂに対応する形状に形成され、下部先端がハンドルベース１の下部先端から少し突出可能に形成される。また、グリップ部２３は表面が手で握りやすいように高さの低い断面略台形状に形成され、背面がハンドルベース１の直線形の凸状部１３２を被覆可能に高さの低い断面略台形の凹状に形成されるとともに、この凹状の面の上下方向中間にハンドルベース２の直線形の凸状部１３２を両側から挟持可能に２つの突起２３１が形成される。レバー本体２１の下部先端側には後述する錠前ユニット収納部１４に対向する位置にインジケータｉ付きのシリンダー錠Ｓのキー孔３０をインジケータｉとともに臨ませるための開口２０が正面、背面間を貫通して形成される。
このようにしてハンドルレバー２はハンドルベース１の上部基端側に回転可能に挿通されたハンドル軸に回動軸を介してハンドルベース１に対して起伏回動可能に取り付けられる。
【００１５】
かくしてハンドルベース１及びハンドルレバー２が構成され、この平面ハンドルＨでは、保護部材取付部４は、図３に示すように、ハンドルレバー２の上部基端側でハンドルベース１に対向する部位、すなわち、ハンドルレバー２の背面の上部基端側の幅狭の部分で、特に、ハンドルベース１に対してハンドルレバー２を起伏回動した際にハンドルレバー２の背面がハンドルベース１の正面（この場合、ハンドルベース１の正面上部基端側の略Ｕ字形の凸状部１３１の片側一方の側部）に摺接する可能性のあるその上下方向中間部、この場合、軸挿通部２２と凹部２２１との間に設けられて、この保護部材取付部４に弾性合成樹脂製の保護部材５が取り付けられる。
保護部材５は、図２に示すように、弾性、柔軟性、耐摩耗性、摺動性に優れた合成樹脂材からなり、保護部材取付部４に取り付け可能な大きさ、形状に形成される。保護部材５の表面は保護部材取付部４の周囲と一体的な外形に形成され、裏面に一対の係止爪５１が裏面の中心を対称中心として対称的に、それぞれ先端が保護部材５の裏面において保護部材５の外周方向に向けられて全体として断面略Ｌ字形に突出形成される。この場合、保護部材５は、ポリアセタールからなり、保護部材取付部４に取り付け可能に、横に長い長方形に形成される。保護部材５の表面はハンドルレバー２の上部基端側の背面と面一のフラットに形成され、裏面に一対の係止爪５１が裏面の中心を対称中心として対称的に、それぞれ、断面略四角形（各係止爪５１の突出方向に対して直角方向の断面形状が略四角形）の形状で先端が保護部材５の裏面において保護部材５の短辺方向に向けられて、全体として断面略Ｌ字形に形成される。また、この場合、保護部材５の裏面には各係止爪５の間に、この場合、保護部材５の長手方向中央位置に、長手方向一方の縁部から他方の縁部まで直線状に溝５２を形成されて保護部材５の長手方向中央位置が少し薄肉に形成され、保護部材５がこの溝５２の位置で保護部材５の裏面を内側にして略くの字形に折り曲げ変形可能に形成される。
保護部材取付部４は、図３に示すように、ハンドルレバー２の背面上部基端側の軸挿通部２２と凹部２２１との間に保護部材５が嵌合可能に取付凹部４０が横に長い長方形状を形成されるとともに、この取付凹部４０の底部４０１で保護部材５の各係止爪５１に対応する位置にそれぞれ、一対の係合孔４１が保護部材５の各係止爪５１を弾性係合可能に、この場合、底部４０１の各対応位置に各係止爪５１の断面形状（各係止爪５１の突出方向に対して直角方向の断面形状）よりも僅かに大きい断面四角形の孔４１１が底部４０１の奥に向けて各係止爪５１の長さ分だけ穿設され、この底部４０１の奥からハンドルレバー２の各側部２１３に向けて各係止爪５１の爪の突出長さよりも長い孔４１２が、この場合、各側部２１３まで各側部２１３を開口して穿設されて、全体として保護部材取付部４の底部４０１の各対応位置から各側部２１３まで断面略Ｌ字形に延出形成される。なお、この場合、各係合孔４１は保護部材取付部４の底部４０１から各側部２１３へ貫通されて各側部２１３で開口されるものとしたが、各係合孔４１は底部４０１から各側部２１３への途中までとし、各側部２１３は開口されず閉塞されたものとしてもよい。また、この場合、この保護部材取付部４の底部４０１で保護部材５裏面の溝５２に対応する位置、つまり、保護部材取付部４の長手方向中央位置に、保護部材５の溝５２に嵌合可能に、長手方向一方の縁部から他方の縁部まで直線状に凸状部４０２が形成されて、保護部材５が保護部材取付部４に取り付けられた際に、保護部材５の溝５２に係合可能としてある。
【００１６】
図４に保護部材５の保護部材取付部４への取り付け方を示している。
図４に示すように、この平面ハンドルＨでは、一対の係止爪５１がそれぞれ先端が保護部材５の裏面において保護部材５の外周方向に向けて、この場合は、保護部材５の短辺方向に向けて形成され、保護部材５の裏面で各係止爪５１の間に直線状に溝５２を形成されて保護部材５が溝５２の位置で略くの字形に折り曲げ変形可能に形成されているので、保護部材５の取り付けに当たり、保護部材５を溝５２の位置で裏面を内側にして略くの字形に折り曲げ変形させて、各係止爪５１を内方に倒すことで、各係止爪５１の先端（爪の部分）を保護部材取付部４の各係合孔４１に容易に挿入することができ、各係止爪５１を各係合孔４１に挿入して少し強く押し込めば、ワンタッチで、各係止爪５１の先端は各係合孔４１の穴４１１の内壁を滑って孔４１１の奥まで進み、そこから各側部２１３方向へ向かう孔４１２の壁面に係止され、保護部材５は保護部材取付部４の取付凹部４０に嵌合されて保護部材取付部４の周囲と面一の状態で取り付け固定される。
またこの場合、保護部材取付部４の取付凹部４０の底部４０１に保護部材５裏面の溝５２に嵌合可能に直線状の凸状部４０２が設けられているので、保護部材５が保護部材取付部４に取り付けられると、保護部材５の溝５２と保護部材取付部４の凸状部４０２が係合されて、保護部材５は保護部材取付部４上でこれら凸状部４０２及び溝５２に対して直交する方向、この場合、保護部材５の短辺方向の外力に抗して一対の係止爪５１の先端と一対の係合孔４１との係合状態を保持し、一対の係止爪５１とともに、保護部材５が保護部材取付部４により確実に固定される。
【００１７】
この平面ハンドルＨはかかる構成を備え、図５に示すように、扉パネルＤに、ここでは特に図示しないが、防水パッキンを介して、取付プレート、取付ねじにより取り付けられる。
【００１８】
図５にこの平面ハンドルＨの使用時の保護部材５による作用効果を併せて示している。
扉パネルＤがボックス本体などの固定枠体に対して閉じられているときは、図５（１）に示すように、ハンドルレバー２がハンドルベース１上に倒伏され、キーにより錠前ユニット３が施錠されて、ハンドルレバー２がロックされる。このロック状態がハンドルレバー２の下部先端側の開口２０を通してインジケータｉにより表示される。
そして、このような扉パネルＤの施錠状態から、扉パネルＤを開けるときは、図５（１）に示すように、まず、キーを錠前ユニット３のキー穴３０に通し解錠方向に回転して、錠前ユニット３を解除する。この錠前ユニット３の解錠により、ハンドルレバー２のロックが解錠される。このロック解除状態はハンドルレバー２の下部先端側の開口２０を通してインジケータｉにより表示される。次に、図５（２）に示すように、ハンドルレバー２をハンドルベース１から引き起こすと、このハンドルレバー２の任意の引き起こし位置で、ハンドルレバー２により曲面板バネが押圧変形されてこの曲面板バネに生じる反力により、この引き起こし位置にハンドルレバー２が保持される。続いて、この状態から、ハンドルレバー２を所定の開方向に回す。このときに、ハンドルレバー２がハンドルベース１側へ押されて少し倒伏されると、ハンドルレバー２の背面の上部基端側の一部、すなわち、ハンドルレバー２の背面上部の軸挿通部２２と凹部２２１との間の部分がハンドルベース１の正面の上部基端側、すなわち、略Ｕ字形の凸状部１３１の片側一方の側部と摺接するが、この平面ハンドルＨでは、ハンドルレバー２の背面上部の軸挿通部２２と凹部２２１との間に弾性合成樹脂製の保護部材５が組み込まれており、この保護部材５が弾性、柔軟性、耐摩耗性、摺動性に優れた素材から形成されているので、ハンドルレバー２の背面上部の軸挿通部２２と凹部２２１との間に組み込まれた保護部材５とハンドルベース１の略Ｕ字形の凸状部１３１の片側一方の側部が小さい摩擦抵抗で接触して円滑に摺動する。したがって、ハンドルレバー２とハンドルベース１の金属同士の噛み合いがなく、相互に損傷することがない。かくしてハンドルレバー２を開方向に回すと、止め金がボックス本体などの固定枠体側の受け部から離脱される。この状態から扉パネルＤを開動し、扉パネルＤを開く。
そして再び、扉パネルＤを閉めるときは、扉パネルＤの閉動後、まず、図５（２）、（１）に示すように、任意の引き起こし位置に保持されたハンドルレバー２を所定の閉方向に回す。このときも同様に、ハンドルレバー２がハンドルベース１側へ押されて少し倒伏されると、ハンドルレバー２の背面上部の軸挿通部２２と凹部２２１との間の部分がハンドルベース１の正面上部の略Ｕ字形の凸状部１３１の片側一方の側部と摺接するが、ハンドルレバー２の背面上部の軸挿通部２２と凹部２２１との間に組み込まれた弾性合成樹脂製の保護部材５とハンドルベース１の略Ｕ字形の凸状部１３１の片側一方の側部が小さい摩擦抵抗で接触して円滑に摺動するので、ハンドルレバー２とハンドルベース１の金属同士の噛み合いがなく、相互にキズを付けることがない。かくしてハンドルレバー２を閉方向に回すと、止め金がボックス本体などの固定枠体側の受け部に係合される。これにより扉パネルＤが閉められる。続いて、図５（１）に示すように、ハンドルレバー２をハンドルベース１上に倒伏すると、このハンドルレバー２により曲面板バネが押圧変形されてこの曲面板バネに生じる反力により、この倒伏位置にハンドルレバー２が保持される。これにより、扉パネルＤを閉めた状態が保持される。そして、キーを錠前ユニット３のキー穴３０に通し施錠方向に回転して、錠前ユニット３を施錠する。この錠前ユニット３の施錠により、ハンドルレバー２がロックされる。このロック状態がハンドルレバー２の下部先端側の開口２０を通してインジケータｉにより表示される。
【００１９】
以上説明したように、この平面ハンドルＨによれば、ハンドルベース１及びハンドルレバー２の上部基端側で相互に対向する部位のいずれか一方に、この実施の形態では、ハンドルレバー２の上部基端側でハンドルベース１に対向する部位に保護部材取付部４を設けてこの保護部材取付部４に弾性合成樹脂製の保護部材５を取り付けるものとし、保護部材５の表面を保護部材取付部４の周囲と一体的な外形とし、裏面に裏面の中心を対称中心として対称的に、先端を相互に反対方向に向けて全体として断面略Ｌ字形に突出する一対の係止爪５１を設け、保護部材取付部４に保護部材５が嵌合可能に取付凹部４０を形成するとともにこの取付凹部４０の底部４０１に保護部材５の各係止爪５１が弾性係合可能に断面略Ｌ字形に延びる一対の係合孔４１を形成して、保護部材５を保護部材取付部４に一対の係止爪５１と一対の係合孔４１との弾性係合により取り付けるようにしたので、弾性合成樹脂製の保護部材５の取付位置を拡大して、この保護部材５の取付位置に保護部材５を容易にしかも低コストに取り付けることができる。
また、この平面ハンドルＨでは、一対の係止爪５１をそれぞれ先端を保護部材５の裏面において保護部材５の外周方向に向けて形成し、保護部材５の裏面で各係止爪５１の間に直線状に溝５２を形成して保護部材５を溝５２の位置で略くの字形に折り曲げ変形可能に形成したことで、保護部材５の取り付けに当たり、保護部材５を溝５２の位置で略くの字形に折り曲げ変形することにより、各係止爪５１を各係合孔４１に挿入しやすくして、保護部材５を保護部材取付部４にワンタッチでより簡易に取り付けることができる。またこの場合、この保護部材取付部４の取付凹部４０の底部４０１に保護部材５裏面の溝５２に嵌合可能に直線状の凸状部４０２を設けたので、保護部材５が保護部材取付部４に取り付けられると、保護部材５の溝５２と保護部材取付部４の凸状部４０２との係合により、保護部材５が保護部材取付部４上でこれら凸状部４０２及び溝５２に対して直交する方向の外力に抗して一対の係止爪５１と一対の係合孔４１との係合状態を保持し、一対の係止爪５１とともに、保護部材５を保護部材取付部４により確実に固定することができる。
【００２０】
なお、この実施の形態では、一対の係止爪５１はそれぞれ先端が保護部材５の裏面において保護部材５の外周方向として、外向きに向けて、形成されるものとしたが、内向きに向けて（先端が相互に対向するように）、形成されるものとしてもよい。このようにしても上記実施の形態と同様の作用効果を奏することができる。
【００２１】
また、この実施の形態では、ハンドルレバー２の上部基端側でハンドルベース１に対向する部位に保護部材取付部４を設けてこの保護部材取付部４に弾性合成樹脂製の保護部材５を取り付けるものとしたが、この平面ハンドルＨでは、既述のとおり、ハンドルベース１及びハンドルレバー２の上部基端側で相互に対向する部位のいずれか一方に保護部材取付部４を設けてこの保護部材取付部４に弾性合成樹脂製の保護部材５を取り付けるので、ハンドルレバー２に代えてハンドルベース１の上部基端側でハンドルベース１に代えてハンドルレバー２に対向する部位に保護部材取付部４を設けて、この保護部材取付部４に弾性合成樹脂製の保護部材５を取り付けるようにしてもよい。
このようにする場合でも、保護部材５は、同様に、弾性、柔軟性、耐摩耗性、摺動性に優れた合成樹脂材からなり、保護部材取付部４に取り付け可能な大きさ、形状に形成される。保護部材５の表面は保護部材取付部４の周囲と一体的な外形に形成され、裏面に一対の係止爪５１が裏面の中心を対称中心として対称的に、それぞれ先端が保護部材５の裏面において保護部材５の外周方向に向けられて全体として断面略Ｌ字形に突出形成される。上記実施の形態のハンドルベース１に適用した場合、保護部材５は、保護部材取付部４に取り付け可能に、縦に長い長方形に形成される。保護部材５の表面はハンドルベース１の正面の上部基端側（ハンドルベース１の正面上部基端側の略Ｕ字形の凸状部１３１の片側一方の側部（すなわち、ハンドルレバー２を起立回動させた場合にハンドルレバー２が接触する側の側部））と一体的な凸形状に形成され、裏面に一対の係止爪５１が裏面の中心を対称中心として対称的に、それぞれ、断面略四角形（各係止爪５１の突出方向に対して直角方向の断面形状が四角形）の形状で先端が保護部材５の裏面において保護部材５の短辺方向に向けられて、全体として断面略Ｌ字形に形成される。また、保護部材５の裏面には各係止爪５１の間に、この場合、保護部材５の長手方向中央位置に、長手方向一方の縁部から他方の縁部まで直線状に溝５２を形成されて保護部材５の長手方向中央位置が少し薄肉に形成され、保護部材５がこの溝５２の位置で略くの字形に折り曲げ変形可能に形成される。そして、保護部材取付部４は、同様に、ハンドルベース１の背面上部基端側の略Ｕ字形の凸状部１３１の片側一方の側部（すなわち、ハンドルレバー２を起立回動させた場合にハンドルレバー２が接触する側の側部）に保護部材５が嵌合可能に取付凹部４０が縦に長い長方形状に形成されるとともに、この取付凹部４０の底部で保護部材５の各係止爪５１に対応する位置にそれぞれ、一対の係合孔４１が保護部材５の各係止爪５１を弾性係合可能に、この場合、底部４０１の各対応位置に各係止爪５１の断面形状（各係止爪５１の突出方向に対して直角方向の断面形状）よりも僅かに大きい断面四角形の孔４１１が底部４０１の奥に向けて各係止爪５１の長さ分だけ穿設され、この底部４０１の奥からハンドルベース１の上下方向に向けて各係止爪５１の爪の突出長さよりも長い孔４１２が穿設されて、全体として保護部材取付部４の底部４０１の各対応位置から上下方向に断面略Ｌ字形に延出形成される。また、この場合、この保護部材取付部４の底部４０１で保護部材５の裏面の溝５２に対応する位置、つまり保護部材取付部４の長手方向中央位置に、保護部材５の溝５２に嵌合可能に、長手方向一方の縁部から他方の縁部まで直線状に凸状部４０２が形成されて、保護部材５が保護部材取付部４に取り付けられた際に、保護部材５の溝５２に係合可能とする。
このようにしても上記実施の形態と同様の作用効果を奏することができる。
【００２２】
さらに、この実施の形態では、平面ハンドルＨのハンドルベース１及びハンドルレバー２の一例を示し、このハンドルレバー２又はハンドルベース１に保護部材取付部４を設け、保護部材５を取り付ける場合について説明したが、この発明はこのようなハンドルベースやハンドルレバーに限定されるものではなく、ハンドルベースやハンドルレバーの形状や構造は任意に変更可能であり、保護部材取付部４は取付凹部４０の形状、大きさや深さ、一対の係合孔４１の断面形状、大きさや長さなどが、保護部材５は外形、大きさや厚み、表面の形状、裏面の一対の係止爪５１、溝５２の形状、大きさなどが、ハンドルベースやハンドルレバーの形状や構造に応じて、適宜変更される。
【符号の説明】
【００２３】
Ｈ  平面ハンドル
１  ハンドルベース
１１  ベース本体
１１１  上部基端縁部
１１２  下部先端縁部
１２  ハンドル取付部
１２０  穴
１２１  軸筒部
１３  ハンドル収納部
１３１  略Ｕ字形の凸状部
１３Ａ  ハンドル嵌合収納部
１３２  直線形の凸状部
１３Ｂ  ハンドル載置収納部
１４  錠前ユニット収納部
２  ハンドルレバー
２０  開口
２１  レバー本体
２１１  上部基端縁部
２１２  下部先端縁部
２１３  側部
２２  軸挿通部
２２１  凹部
２３  グリップ部
２３１  突起
３  錠前ユニット
３０  キー穴
ｉ  インジケータ
Ｓ  シリンダー錠
４  保護部材取付部
４０  取付凹部
４０１  底部
４０２  凸状部
４１  係合孔
４１１  孔
４１２  孔
５  弾性合成樹脂製の保護部材
５１  係止爪
５２  溝
Ｄ  扉パネル
【図１】
2020090774.tif 000003
【図２】
2020090774.tif 000004
【図３】
2020090774.tif 000005
【図４】
2020090774.tif 000006
【図５】
2020090774.tif 000007